(57)【特許請求の範囲】
【請求項１】
口筒部(2)の下に細長筒状の首部(3)を連設し、該首部(3)の下に下方に拡径する拡径筒状の肩部(4)を連設し、該肩部(4)の下に筒状の胴部(5)を連接した壜体であって、前記首部(3) は基本的な形状を下方に向かって緩やかに拡径するテーパー筒状とし、口筒部(2)との境界位置(C)の直下の高さ位置に球殻状の湾曲膨出部(3b)を形成し、前記膨出部(3b)の下端部から肩部(4)の上端部に至る領域の、少なくとも膨出部(3b)の下方基端位置(D)と、首部(3)と肩部(4)の境界位置(E)を含む領域に縦リブ(11)を全周方向に沿って並列状に、多数配設したことを特徴とする合成樹脂製壜体。
【請求項２】
縦リブ(11)を、膨出部(3b)の下端部から肩部(4)の上端部に至る領域に連続状に延設する構成とした請求項１記載の合成樹脂製壜体。
【請求項３】
全高さ範囲で平断面形状を円形状とした請求項１または２記載の合成樹脂製壜体。
【請求項４】
膨出部(3b)の下端部から首部(3)と肩部(4)の境界位置(E)に至る領域を掴持する構成とした請求項１、２または３記載の合成樹脂製壜体。
【発明の詳細な説明】
【技術分野】
【０００１】
本発明は細長筒状の首部を有する合成樹脂製壜体に関する。
【背景技術】
【０００２】
ポリエチレンテレフタレート（以下ＰＥＴと記す。）樹脂製等の合成樹脂製壜体は水、スポーツ飲料水、お茶、ジュース等の飲料用、また調味料、酒類の容器として幅広く使用されている。
これら壜体の形状は一般的には円筒状、あるいは角形筒状の胴部に肩部を介して口筒部を起立設した形状をしているが、例えば特許文献１には図５に示すような壜体が示されている。この壜体１０１は、デザイン的観点から胴部１０５の一部を縮径することによりウエスト部１０７を形成して外観的な特徴を付与したものである。
また、このウエスト部１０７は外観的な特徴面だけではなく掴持性を付与すると云う機能も発揮する。
【先行技術文献】
【特許文献】
【０００３】
【特許文献１】特開２００７−０６２８００号公報
【発明の概要】
【発明が解決しようとする課題】
【０００４】
ここで、図５に示したウエスト部１０７のように縮径部を形成した壜体では、壁面が縦方向に湾曲することにより、縦方向の座屈強度が低下するので、特に大型の壜体や、薄肉にした壜体では座屈強度の低下を考慮に入れてその形状を設計する必要がある。
【０００５】
本発明は、肩部と口筒部の間に細長筒状の首部を有する合成樹脂製壜体において、座屈強度の低下を伴うことなくこの首部に膨出部を配設して特徴的な外観や掴持性を付与することを技術的な課題とするものである。
【課題を解決するための手段】
【０００６】
上記課題を解決するための手段の中、本発明の主たる構成は、
口筒部の下に細長筒状の首部を連設し、この首部の下に下方に拡径する拡径筒状の肩部を連設し、この肩部の下に筒状の胴部を連接した壜体において、
首部は基本的な形状を下方に向かって緩やかに拡径するテーパー筒状とし、口筒部との境界位置の直下の高さ位置に球殻状の湾曲膨出部を形成し、
この膨出部の下端部から肩部の上端部に至る領域の、少なくとも膨出部の下方基端位置と、首部と肩部の境界位置を含む領域に縦リブを全周方向に沿って並列状に、多数配設する、と云うものである。
【０００７】
上記構成の壜体の形状の特徴は、口筒部の下に細長筒状の首部を有する壜体の首部の、口筒部との境界位置の直下の高さ位置に膨出部を形成した点にあり、この膨出部により特徴的な外観を付与することができる。
【０００８】
そして、膨出部の下端部から肩部の上端部に至る領域の、少なくとも膨出部の下方基端位置と、首部と肩部の境界位置を含む領域に縦リブを周方向に並列状に、多数配設することにより、膨出部と云う特徴的な形状に起因する首部近傍領域の縦方向の座屈強度の低下を効果的に防ぐことができる。
【０００９】
ここで、本発明の主たる構成における、少なくとも膨出部の下方基端位置と、首部と肩部の境界位置を含む領域に縦リブを配設すると云う構成要件は、首部に膨出部を形成した壜体の変形あるいは応力解析に基づくものであり、縦方向の座屈が発生し易い膨出部の下方基端位置と首部と肩部の境界位置を含む領域を縦リブにより強化することにより、膨出部を含む首部近傍領域の縦方向の座屈強度を、肩部から胴部に至る領域の座屈強度以上に強化しようとするものである。
【００１０】
本発明の他の構成は、上記主たる構成において、縦リブを、膨出部の下端部から肩部の上端部に至る領域に連続状に延設する構成とする、と云うものである。
【００１１】
前述した、縦方向の座屈が発生し易い膨出部の下方基端位置と首部と肩部の境界位置を含む領域を強化するための縦リブの配設態様としては、膨出部の下方基端位置近傍と首部と肩部の境界位置近傍に、断続的にそれぞれ縦リブを配設する構成とすることができる。
さらに上記構成のように、縦リブを膨出部の下端部から肩部の上端部に至る領域に連続的に延設状に配設することにより、より効果的に膨出部を含む首部近傍領域の縦方向の座屈強度を強化することができる。
【００１２】
本発明のさらに他の構成は、上記主たる構成において、全高さ範囲で平断面形状を円形状とする、と云うものである。
【００１３】
上記構成の壜体は、所謂、丸形壜体に相当するものである。
勿論、本発明の壜体は丸形壜体に限定されるものではなく、肩部や胴部の平断面形状を楕円状、長円状、多角形筒状とすることもできる。
【００１４】
本発明のさらに他の構成は、上記主たる構成において、膨出部の下端部から首部と肩部の境界位置に至る領域を掴持する構成とする、と云うものである。
【００１５】
首部を手により握り易い径とし、膨出部の下端部と肩部との境界位置の間の寸法を手の平の大きさに合うように適宜に決めることにより、大型の壜体で内容液が充填されて重量が大きな状態でも、この首部部分を利用して手により容易に掴持することができる。また、膨出部の下端部と、肩部の上端部が上下方向への滑りに対する係止機能を発揮するので、傾斜姿勢を安定した状態で保持しながら内容液を注ぐことができる。
【発明の効果】
【００１６】
本発明は、上記した構成となっているので、以下に示す効果を奏する。
口筒部の下に細長筒状の首部を有し、この首部に膨出部を形成する壜体において、この膨出部の下端部から肩部の上端部に至る領域に縦リブを周方向に並列状に、多数配設することにより、膨出部と云う特徴的な形状に起因する首部近傍領域の縦方向の座屈強度の低下を効果的に防ぐことができる。
そして、この膨出部により特徴的な外観を付与することができると共に、膨出部の下端部と肩部の上端部により上下方向への滑りに対する係止機能が発揮され、大型壜体で、内容液が充填されて大きな重量であっても、傾斜姿勢を安定した状態で保持しながら内容液を注ぐことができる。
【図面の簡単な説明】
【００１７】
【図１】本発明の合成樹脂製壜体の一実施例の正面図である。
【図２】図１中のＨ−Ｈ線に沿って示す平断面図である。
【図３】比較例の合成樹脂製壜体の正面図である。
【図４】座屈試験の結果を示すグラフである。
【図５】従来の合成樹脂製壜体の一例を示す正面図である。
【発明を実施するための形態】
【００１８】
以下、本発明の実施の形態を実施例に沿って図面を参照しながら説明する。
図１は本発明の合成樹脂製壜体の一実施例を示す正面図、図２は図１中のＨ−Ｈ線に沿って示す平断面図である。この壜体１はＰＥＴ樹脂製の二軸延伸ブロー成形品で、口筒部２、細長筒状の首部３、拡径筒状の肩部４、円筒状の胴部５、底部６を有する平断面形状が円形の丸形壜体である。また、この壜体１の全高さは２４５ｍｍ、最大径は１０６ｍｍ、容量は１リットルであり、比較的胴部５を短くした形状である。
【００１９】
なお、図１、後述する比較例の壜体２１の正面図を示す図３中には口筒部２と首部３の境界位置Ｃ、膨出部３ｂの下方基端位置Ｄ、首部３と肩部４との境界位置Ｅ、そして肩部４と胴部５の境界位置Ｆをそれぞれ矢印で示している。
また、図３中には上記膨出部３ｂの下方基端位置Ｄと首部３と肩部４との境界位置Ｅに係る補助線を一点鎖線で入れてあるが、図１についても同様な補助線で下方基端位置Ｄと首部３と肩部４との境界位置Ｅを決めるようにしている。
【００２０】
首部３の、口筒部２との境界位置Ｃの直下の高さ位置に膨出部３ｂが形成されている。本実施例ではこの膨出部３ｂは全体として球殻状で、横方向から見ると図１に見られるようになだらかな山状の湾曲面を形成している。
なお、本実施例では、首部３の基本的な形状を下方に向かって緩やかに拡径するテーパー円筒状としている。
【００２１】
また、膨出部３ｂの下端部から肩部４の上端部に至る領域には縦方向に延設する縦リブ１１を周方向に並列状に、多数配設している。
本実施例の場合、図２の平断面図に示されるように溝状の縦リブ１１を、計１６本の、周方向に並列状に配設しており、また縦リブ１１の最大溝深さは１．５ｍｍとしている。
また、肩部４と胴部５の境界位置Ｆには突条周リブ１３を配設している。
【００２２】
そしてこの壜体１は、膨出部３ｂにより、外観的な特徴面だけではなく掴持性を発揮させようとしたものである。
すなわち、首部３の、膨出部３ｂの下端部から肩部４との境界位置Ｅに至る領域を掴持することにより、膨出部３ｂの下端部と肩部４の上端部が上下方向への滑りに対する係止機能を発揮するので、大型で、内容液が充填されて大きな重量であっても、傾斜姿勢を安定した状態で保持しながら内容液を注ぐことができる。
【００２３】
一方、図３は上記実施例の壜体１の比較例として用意した壜体の正面図である。この壜体２１は、縦リブ１１の配設がない点を除いて実施例の壜体１と全く同一の形状を有するものである。
【００２４】
次に、上記図１の実施例の壜体１と図３の比較例の壜体２１について下記の座屈試験を実施した。
・座屈試験；起立状態の空の壜体を縦方向に一定速度で押圧し、壜体が座屈した時点での荷重（Ｎ）を測定し、座屈強度とする。
【００２５】
図４は上記座屈試験における縦方向の変位量（全高変位量（ｍｍ））と荷重（Ｎ）の関係をグラフにしたものであり、実施例の壜体１の挙動を曲線Ａで、また比較例の壜体２１の挙動を曲線Ｂで示している。
そして、座屈時（図中のＡ１、Ｂ１点）における荷重、すなわち座屈強度は次のようであり、縦リブ１１の配設効果を確認することができた。
・実施例の壜体１  ；２５５Ｎ
・比較例の壜体２１；１３６Ｎ
【００２６】
ここで、上記座屈時直前の各壜体の変形態様を観察すると次のようであった。
（１）実施例の壜体１では、図１中に二点鎖線で囲った領域、すなわち膨出部３ｂの下端部から首部３の上端部にかけての領域で陥没状の潰れ変形が発生し座屈に至った。
（２）比較例の壜体２１では、首部３の、膨出部３ｂの下端部から肩部４の上端部に至る領域（図２中、二点差線で囲った領域）で、周壁が、たとえば膨出部３ｂの下方基端位置Ｄ近傍では前後方向に扁平に、また首部３と肩部４との境界位置Ｅ近傍では逆に左右方向に扁平に変形するように、高さ位置により扁平方向が直交するような態様で変形が発生し、座屈に至った。
【００２７】
上記結果より、図１の実施例の壜体１では、図２の比較例の壜体２１において、上記のように低い荷重で変形が発生した膨出部３ｂの下方基端位置Ｄ近傍と、首部３と肩部４との境界位置Ｅ近傍を含む領域に縦リブ１１を周方向に並列状に、多数配設することにより、膨出部３ｂを含む首部３近傍領域の縦方向の座屈強度を、肩部４から胴部５に至る領域の座屈強度以上に強化することができ、全体として高い座屈強度が実現できたものと考えられる。
【００２８】
以上、実施例に沿って本願発明の実施の形態とその作用効果について説明したが、本願の実施の形態はこの実施例に限定されるものではない。
上記実施例では、ＰＥＴ樹脂製の１リットルの丸型壜体の例を示したが、本願発明の作用効果は他の合成樹脂製のもの、さらに大きな容量の壜体、楕円筒状等の丸形壜体以外の壜体についてもその作用効果が十分発揮されるものである。
また、上記実施例では胴部５が比較的短い壜体１を例示したが、勿論、首部、肩部、胴部の長さの比は使用目的、外観デザインによって適宜選択することができる。
【００２９】
また、上記実施例では縦リブを膨出部の下端部から肩部の上端部に至る領域に連続的に配設する例を示したが、膨出部の下方基端位置近傍と首部と肩部の境界位置近傍に、断続的にそれぞれ縦リブを配設する構成とすることもできる。
また、縦リブの断面形状、配列本数等の配設態様はリブの補強効果のほかにも、外観デザインも考慮して決めることができる。外観デザインの必要性に応じて縦リブを膨出部の上端部や肩部の下端部へも延長することもでき、縦リブの長さを異なる長さとすることもでき、さらには連続状の縦リブと断続状の縦リブを交互に配設するような構成とすることもできる。
【産業上の利用可能性】
【００３０】
以上説明したように、本発明の壜体は、座屈強度の低下を伴うことなく、細長筒状の首部に膨出部を配設して特徴的な外観と良好な掴持性を付与された壜体として幅広い使用展開が期待される。
【符号の説明】
【００３１】
１、２１；壜体
２  ；口筒部
３  ；首部
３ｂ；膨出部
４  ；肩部
５  ；胴部
６  ；底部
１１；縦リブ
１３；突条周リブ
Ｃ  ；境界位置
Ｄ  ；下方基端位置
Ｅ  ；境界位置
Ｆ  ；境界位置
１０１；壜体
１０５；胴部
１０７；ウエスト部
【図１】
0005553193.tif 000002
【図２】
0005553193.tif 000003
【図３】
0005553193.tif 000004
【図４】
0005553193.tif 000005
【図５】
0005553193.tif 000006